(57)【特許請求の範囲】
【請求項１】
既設のコンクリート構造物の側面部に鉛直方向に溝部を切削し、この溝部内に鉛直方向補強筋を埋設し、樹脂を注入して固定するコンクリート構造物の補強工法であって、
コアビットが取り付けられるスピンドル部がモータ部からオフセットされ、前記スピンドル部と前記モータ部とが回転伝達機構により連結され、前記モータ部の回転駆動力が前記回転伝達機構および前記スピンドル部を介して前記コアビットに伝達されるとともに、前記モータ部、前記回転伝達機構および前記スピンドル部が、支持部により鉛直軸に対して上下動可能に支持された特殊コアドリルの前記スピンドル部および前記コアビットが収容可能かつ前記モータ部が収容不可能な深さの凹部であり、前記既設のコンクリート構造物の既設鉄筋に干渉することなく前記溝部に接続される凹部を前記既設のコンクリート構造物の側面部に切削する工程と、
前記凹部内に前記スピンドル部および前記コアビットが収容されるように前記特殊コアドリルを設置し、前記支持部を鉛直下方向に下降させることにより、前記フーチング部内部に定着孔を鉛直方向に削孔する工程と、
前記溝部内から前記凹部および前記定着孔内に渡って鉛直方向補強筋を埋設し、樹脂を注入して固定する工程と、
を含むコンクリート構造物の補強工法。
【請求項２】
前記凹部の深さは、５０ｍｍ以下である請求項１記載のコンクリート構造物の補強工法。
【請求項３】
前記特殊コアドリルは、前記スピンドル部と前記モータ部とが前記鉛直軸に対して同じ側に配置されたものである請求項１または２に記載のコンクリート構造物の補強工法。
【発明の詳細な説明】
【技術分野】
【０００１】
本発明は、既設のコンクリート橋脚などのコンクリート構造物に新たに補強筋を埋設固定させるコンクリート構造物の補強工法に関する。
【背景技術】
【０００２】
橋梁のコンクリート橋脚は、地震時の水平耐力を満足することが重要であり、耐震性の確保が必要である。従来、コンクリート橋脚の耐震補強工法として、ＲＣ（Reinforced Concrete：鉄筋コンクリート）巻立て工法、鉄板巻立て工法、炭素繊維・アラミドシート補強工法やＰＣ（Prestressed Concrete：プレストレストコンクリート）巻立て工法などが知られている。
【０００３】
この中でＲＣ巻立て工法は、橋脚内部に配筋された主鉄筋と平行に鉛直方向筋を橋脚表面に固定し、この主鉄筋と直角方向に帯鉄筋を重ねて配筋固定した後、型枠を形成しコンクリートを打設することによって補強構造が施工される。また、このＲＣ巻立てによる補強工法の他に、コンクリート橋脚表面に主鉄筋および帯鉄筋を配筋固定した後、ポリマーモルタルを被覆する補強構造も施工されている。
【０００４】
このようにＲＣ巻立てによる補強構造またはポリマーモルタルによって被覆した補強構造であれば、コンクリートの巻立てまたはポリマーモルタルの被覆によって既設橋脚と橋軸方向に固定された鉄筋棒との一体化が強化され、その補強効果が長時間にわたって維持される。
【０００５】
ところが、これらの補強工法では、コンクリート橋脚表面に補強用鉄筋を固定した後、コンクリートの巻立てまたはポリマーモルタルの被覆を行うので、コンクリート橋脚の径がコンクリート巻立層またはポリマーモルタル被覆層によって著しく増大することになる。また、巻立て厚さが厚くなることによって橋脚重量も大幅に増大する。
【０００６】
そこで、このような問題点を解決するため、例えば、特許文献１には、被補強面に溝部を形成するとともに、この溝部と連続するように基部に孔部を穿設し、これらの溝部および孔部に亘って補強用ロッドを配置し、これらの溝部および孔部に接着剤を充填して補強用ロッドを固定するコンクリート構造物の補強工法が提案されている。また、特許文献１には、孔部の穿設は、通常、コンクリートコアドリルで行うが、孔部を被補強面に沿うように穿設しようとすると、ドリルが被補強部と干渉してしまうため、穿設方向に少し角度を与えて孔部を穿設すると記載されている。
【０００７】
図７は既設橋脚のフーチング部に削岩用ドリルを用いて斜め方向に定着孔を削孔する例を示している。図７に示すように、特許文献１に記載の工法では、削岩用ドリル５０が被補強部５１と干渉しないように斜め方向にフーチング部５２に削孔している。ところが、このように削岩用ドリル５０で削孔を行う場合、削岩用ドリル５０を人手により保持して行うので、全ての定着孔を同じ角度で削孔することが困難となる。また、斜め方向に削孔した定着孔に補強筋を挿入するためには、特許文献１にも記載のように補強用ロッドをへの字型に加工する必要があるが、それぞれ角度が異なる定着孔に合わせて補強用ロッドを加工することは困難である。
【０００８】
また、本発明者は、特許文献２に記載のようにコンクリート構造物の補強工法を提案している。このコンクリート構造物の補強工法では、コアドリル（穿孔機）を用いてフーチング部に鉛直方向の定着孔を削孔するため、柱部の下部にコアドリルを収容して削孔作業を行うことが可能な大きさのコア削孔スペースを設けている。この工法によれば、被補強面に沿うように定着孔を形成することができ、真っ直ぐな補強用ロッドを用いて補強を行うことが可能となる。
【０００９】
【特許文献１】特開２００５−５４５３２号公報
【特許文献２】特許第３７８６９３８号公報
【発明の開示】
【発明が解決しようとする課題】
【００１０】
ところが、現在市販されているコアドリルを用いてフーチング部に鉛直方向の定着孔を削孔しようとする場合、コアドリルのスピンドル部と同軸上にあるモータ部までを完全に収容できるコア削孔スペースを設けることになり、このコア削孔スペースの奥行きは１００ｍｍ以上必要となる。しかし、既設橋脚のコンクリートのかぶり厚さが１００ｍｍ程しかない場合、コア削孔スペースが既設鉄筋に干渉してしまうことになるため、必要なコア削孔スペースを切削することができなくなるという問題が発生する。
【００１１】
そこで、本発明においては、既設のコンクリート構造物の既設鉄筋に干渉することなく、コンクリート構造物の側面部からフーチング部内部に渡って鉛直方向補強筋を埋設することが可能なコンクリート構造物の補強工法を提供することを目的とする。
【課題を解決するための手段】
【００１２】
本発明のコンクリート構造物の補強工法は、既設のコンクリート構造物の側面部に鉛直方向に溝部を切削し、この溝部内に鉛直方向補強筋を埋設し、樹脂を注入して固定するコンクリート構造物の補強工法であって、コアビットが取り付けられるスピンドル部がモータ部からオフセットされ、スピンドル部とモータ部とが回転伝達機構により連結され、前記モータ部の回転駆動力が回転伝達機構およびスピンドル部を介してコアビットに伝達されるとともに、モータ部、回転伝達機構およびスピンドル部が、支持部により鉛直軸に対して上下動可能に支持された特殊コアドリルのスピンドル部およびコアビットが収容可能かつモータ部が収容不可能な深さの凹部であり、溝部に接続される凹部を切削する工程と、凹部内にスピンドル部およびコアビットが収容されるように特殊コアドリルを設置し、支持部を鉛直下方向に下降させることにより、フーチング部内部に定着孔を鉛直方向に削孔する工程と、溝部内から凹部および定着孔内に渡って鉛直方向補強筋を埋設し、樹脂を注入して固定する工程とを含む。
【００１３】
本発明のコンクリート構造物の補強工法によれば、既設のコンクリート構造物のフーチング部内部にコアドリルを用いて定着孔を削孔するに際して、コンクリート構造物のフーチング部上の側面部にコアドリルのスピンドル部およびこのスピンドル部に取り付けられるコアビットが収納可能かつモータ部が収容不可能な深さの凹部を切削し、この切削した凹部内にはスピンドル部がモータ部からオフセットされたコアドリルのスピンドル部およびコアビットを収容して、フーチング部内部に定着孔を鉛直方向に削孔するので、コンクリート構造物の側面部に切削する凹部の深さはコアドリルのスピンドル部およびこのスピンドル部に取り付けられるコアビットが収納可能な程度で良く、既設のコンクリート構造物の既設鉄筋に干渉することなく、フーチング部内部に定着孔を鉛直方向に削孔することができる。
【００１４】
ここで、凹部の深さは、５０ｍｍ以下であることが望ましい。５０ｍｍ以下であれば、既設のコンクリート構造物の既設鉄筋に干渉することはない。一方、５０ｍｍを超える場合、コンクリート構造物のコンクリートの被り厚さが一般的なものよりも薄い場合に既設鉄筋に干渉する可能性が出てくる。
【００１５】
また、本発明のコンクリート構造物の補強工法では、鉛直方向補強筋を埋設後、鉛直方向補強筋の上端部を、溝部を跨ぐ長さの帯板材によって溝部内に拘束し、樹脂を硬化させることが望ましい。これにより、凹部に埋設した鉛直方向補強筋の上端部が、樹脂の硬化時に垂れてくることを防止することができる。
【発明の効果】
【００１６】
（１）既設のコンクリート構造物のフーチング部内部にコアドリルを用いて定着孔を削孔するに際して、コンクリート構造物のフーチング部上の側面部にコアドリルのスピンドル部およびこのスピンドル部に取り付けられるコアビットが収納可能かつモータ部が収容不可能な深さの凹部を切削し、この切削した凹部内にはスピンドル部がモータ部からオフセットされたコアドリルのスピンドル部およびコアビットを収容して、フーチング部内部に定着孔を鉛直方向に削孔するので、コンクリート構造物の側面部に切削する凹部の深さはコアドリルのスピンドル部およびこのスピンドル部に取り付けられるコアビットが収納可能な程度で良く、既設のコンクリート構造物の既設鉄筋に干渉することなく、フーチング部内部に定着孔を鉛直方向に削孔することができ、コンクリート構造物の側面部からフーチング部内部に渡って鉛直方向補強筋を埋設することが可能となる。
【００１７】
（２）凹部の深さが、５０ｍｍ以下であることにより、既設のコンクリート構造物の既設鉄筋に干渉する可能性を排除することができるため、凹部切削時に既設鉄筋への干渉を注意する必要がなくなり、凹部切削時の作業性が向上する。
【００１８】
（３）鉛直方向補強筋を埋設後、鉛直方向補強筋の上端部を、溝部を跨ぐ長さの帯板材によって溝部内に拘束し、樹脂を硬化させることにより、凹部に埋設した鉛直方向補強筋の上端部が、樹脂の硬化時に垂れてくることを防止することができ、樹脂硬化時の作業性が向上する。
【発明を実施するための最良の形態】
【００１９】
図１の（ａ）は本発明の実施の形態におけるコンクリート構造物の補強工法により施工した鉄筋コンクリート製の橋脚の部分平面断面図、（ｂ）は部分側面断面図である。図１において、この橋脚は、鉄筋コンクリート製のフーチング部１上に、鉄筋コンクリート製の柱部２が形成されている。そして、柱部２の側面全面に、補強用被覆層３が形成されている。
【００２０】
柱部２の内部には、柱部２の軸方向すなわち鉛直方向に主筋４ａが配置されている。この柱部２の側面部には、各主筋４ａの外側であって主筋４ａと同一方向に溝部５が形成されている。なお、図１において４ｂは帯筋である。また、フーチング部１上の柱部２の側面部には、後述する凹部６が形成されている。溝部５は凹部６に接続されている。さらに、この凹部６の下方のフーチング部１内部には定着孔７が形成されている。
【００２１】
前述の溝部５内部から凹部６および定着孔７に渡って、補強用の鉛直方向補強筋８が嵌め込まれ、埋設されている。鉛直方向補強筋８は、溝部５、凹部６および定着孔７の内部にエポキシ樹脂を素材とする樹脂９を充填し硬化させることによって、溝部５、凹部６および定着孔７の内部に固定されている。また、鉛直方向補強筋８の外側には、帯筋１０がフレア溶接１１によって施工され、その外側に補強用被覆層３が形成されている。
【００２２】
以上の構成において、鉛直方向補強筋８は柱部２の側面部に形成された溝部５内に嵌め込まれた状態で固定されている。しかも鉛直方向補強筋８と溝部５の間にはエポキシ樹脂を素材とする樹脂９を介在させているので、柱部２が地震時の水平荷重によって撓み変形するときでも、この柱部２の変形による歪み力は溝部５内の樹脂９を介して鉛直方向補強筋８に伝達される。
【００２３】
すなわち、鉛直方向補強筋８は柱部２の溝部５の中に封止されているので、柱部２が地震時の水平荷重によって撓みによる変位が発生した場合でも、鉛直方向補強筋８の弾性域の範囲内では変位を吸収することによって柱部２の表面全体が高い引っ張り応力を備えた構成となる。さらに、鉛直方向補強筋８は、溝部５内部に樹脂９によって拘束封止されているので溝部５から浮き上がることはない。
【００２４】
次に、図２のフロー図にしたがって、補強用被覆層３の施工手順について説明する。図２は本発明の実施の形態におけるコンクリート構造物の補強工法のフロー図、図３は概略の施工手順を示す説明図である。
【００２５】
（Ｓ１０１）表面処理工
まず、補強する橋脚の柱部２（図３参照。）の表面前面をチッピングまたはサンドブラストにより粗面な状態にする。なお、ウォータージェットを用いても良い。
（Ｓ１０２）墨出工
次に、柱部２の側面の溝部５および凹部６を形成する位置に墨出しを行う。
【００２６】
（Ｓ１０３）コアスペース切削工
そして、図３の（ａ）に示すように、柱部２の下部のフーチング部１上の側面部に、フーチング部１に凹部６を形成する。図４は柱部に形成される凹部６の拡大斜視図、図５は特殊コアドリル２０により定着孔７を削孔する状態を示す図であって、（ａ）は平面断面図、（ｂ）は側面断面図である。この凹部６は、コア削孔を行うための削孔工具としての図５に示す特殊コアドリル（穿孔機）２０を収容して削孔作業を行うためのコア削孔スペースである。
【００２７】
本実施形態において使用する特殊コアドリル２０は、コアビットが取り付けられるスピンドル部とモータ部とが同軸上に配置された従来のコアドリルとは異なり、図５に示すようにコアビット２１が取り付けられるスピンドル部２２が、モータ部２３から水平方向にオフセットされたものである。スピンドル部２２とモータ部２３とは、歯車やベルト等の回転伝達機構２４により連結されており、モータ部２３の回転駆動力は、回転伝達機構２４およびスピンドル部２２を介してコアビット２１に伝達される。また、モータ部２３、回転伝達機構２４およびスピンドル部２２は、支持部２５により鉛直軸２６に対して上下動可能に支持されている。
【００２８】
凹部６は、この特殊コアドリル２０のスピンドル部２２およびコアビット２１が収容可能であり、かつモータ部２３が収容不可能な大きさに形成される。すなわち、モータ部２３を完全に収容しようとすれば凹部６の奥行きＤ（図４、図５参照。）を１００ｍｍ以上としなければならないが、本実施形態において形成する凹部６の奥行きＤは４０ｍｍであり、最大でも５０ｍｍ以下である。なお、凹部６の幅Ｗは１３０ｍｍであるが、これについては特に制限はなく、凹部６内にスピンドル部２２およびコアビット２１が収容可能な大きさであれば良い。また、凹部６の高さは１，０００ｍｍである。
【００２９】
（Ｓ１０４）コア削孔
このような凹部６に対して、図５に示すように、スピンドル部２２およびコアビット２１が収容されるように特殊コアドリル２０を設置し、支持部２５を鉛直下方向に下降させることにより、径６０ｍｍ、深さ６００ｍｍの定着孔７を鉛直方向に削孔する。この工程に際しては、事前にフーチング部１の内部に配筋された鋼材（図示せず。）の位置を把握しておくことが望ましい。
【００３０】
（Ｓ１０５）埋設溝切削工
次いで、図３（ａ）に示すように、柱部２の側面部にコンクリートカッター（図示せず。）によって柱部２内部に配筋されている主筋４ａ（図１参照。）と平行方向（鉛直方向）に幅５０ｍｍ、深さ５０ｍｍ程度の切れ目を入れ、この切れ目内部のコンクリートを電動ピックによってはつり取り、溝部５を形成する。このあと、高圧洗浄などの方法で、柱部２の表面、溝部５、凹部６および定着孔７に付着したコンクリート粉塵を除去、清掃する。
【００３１】
（Ｓ１０６）鉄筋埋設定着工
次に、図３（ａ）に示すように定着孔７内に鉛直方向補強筋８を差し込み、鉛直方向補強筋８を溝部５内から凹部６および定着孔７内に渡って埋設する。図６（ａ）は柱部２の溝部５の上端部の拡大図、（ｂ）は（ａ）のＡ−Ａ断面図、（ｃ）は（ａ）のＢ−Ｂ断面図である。ここで、図６（ｂ）に示すように、鉛直方向補強筋８と溝部５との隙間に鉄製または木製などの楔１２を打ち込み、鉛直方向補強筋８を拘束する。この楔１２は、図６（ａ）に示すように、鉛直方向補強筋８と溝部５との隙間の両側に千鳥配置となるように設置する。また、ここで、図６（ａ）および（ｂ）に示すように、鉛直方向補強筋８の上端部を、溝部５を跨ぐ長さの帯板材からなる仮固定金具１３によって溝部５内に拘束する。仮固定金具１３は、コンクリートアンカー１４によって固定する。そして、溝部５と鉛直方向補強筋８との隙間および定着孔７内に、樹脂９を注入し、鉛直方向補強筋８を固定する。なお、楔１２は、樹脂９の硬化後に抜き取るか、あるいは樹脂９により埋め殺す。また、仮固定金具１３は、樹脂９の硬化後に取り外す。
【００３２】
（Ｓ１０７）帯鉄筋取付工
次いで、図３（ｂ）に示すように、柱部２の側面部内部に鉛直方向に配筋した鉛直方向補強筋８と直角方向すなわち水平方向に帯筋１０を取り付ける。取り付けは、事前に鉛直方向補強筋８に付けておいた結束線（図示せず。）で鉛直方向補強筋８と結束することにより行う。結束後、図１（ｂ）に示すように、帯筋１０の端部同士をフレア溶接１１して連続筋とする。なお、帯筋１０は従来使用されている異形鉄筋で良いが、表面に防錆処置を施すことが望ましい。また、結束線はステンレス材が望ましい。
【００３３】
（Ｓ１０８）保護被覆工
次いで、図３（ｃ）に示すように、柱部２の表面に補強用被覆層３を形成する。補強用被覆層３の形成は、まず、防錆性能を持つポリマーペースト系の下地強化被覆材を塗布し、次にポリマーセメント系被覆材を塗布する。塗布方法は、下地強化被覆材についてはハケ塗りまたは吹き付けとし、ポリマーセメント系被覆材はコテ塗りまたは吹き付けとする。
（Ｓ１０９）仕上材塗布工
最後に、補強用被覆層３の上に仕上材を塗布する。
【００３４】
なお、補強用被覆層３は、上記被覆材のほかに、型枠を形成してセメントモルタルを巻き立てる方法により形成することも可能である。このとき、柱部２の表面はあらかじめチッピングなどで粗面にしておくことが望ましい。なお、補強用被覆層３をＲＣ巻立工法により形成する場合は、型枠を形成した後、高流動コンクリートを打設する。
【００３５】
こうして形成した補強用被覆層３の柱部２表面に露出する厚みは、従来のＲＣ巻立て工法の約１／８、ポリマーモルタル巻立て工法の約１／３となるため、建築限界や河積阻害の制限を受ける橋脚の補強が可能である。また、巻立て厚さを大幅に削減することができることから、被覆材の使用量も従来のポリマーモルタル巻立て工法よりも２／３ほど削減でき、施工費の大幅な削減が可能である。
【００３６】
以上のように、本実施形態における鉄筋コンクリート製の橋脚では、柱部２の表面部に鉛直方向補強筋８を嵌め込む溝部５を形成し、溝部５に鉛直方向補強筋８を嵌め込んで固定することにより、この鉛直方向補強筋８を含む補強層が柱部２に食い込んだ状態となり、柱部２が歪んだ場合にも、鉛直方向補強筋８がこの柱部２の変位に追従しながら引っ張り応力を発揮するので、補強層とコンクリートの間に隙間が生じることがない。
【００３７】
このため、鉛直方向補強筋８と柱部２とのより一層の一体化が図られ、長期に渡って補強効果が持続できる。また、鉛直方向補強筋８が柱部２の表面部の溝部５に嵌め込まれているため、補強用被覆層３の厚みを極めて薄くすることができ、材料使用量を減らすことができる。これにより、材料使用量を減らし、補強に伴う増加重量および施工費の軽減と工期の短縮を図ることができる。
【００３８】
また、本実施形態における補強工法では、橋脚のフーチング部１内部に定着孔７を削孔するに際して、フーチング部１上の側面部に特殊コアドリル２０のスピンドル部２２およびコアビット２１が収納可能かつモータ部２３が収容不可能な程度の大きさの凹部６を切削し、この切削した凹部６内には特殊コアドリル２０のモータ部２３を除くスピンドル部２２およびコアビット２１を収容して、フーチング部１内部に定着孔７を鉛直方向に削孔するので、既設のコンクリート構造物の既設鉄筋に干渉することがない。
【００３９】
特に、この補強工法では、凹部の深さが５０ｍｍ以下であるため、既設のコンクリート構造物の既設鉄筋に干渉する可能性が排除され、凹部６の切削時に既設鉄筋への干渉を注意する必要がなくなり、凹部切削時の作業性が向上している。
【００４０】
また、この補強工法では、鉛直方向補強筋８を埋設後、鉛直方向補強筋８の上端部を、溝部５を跨ぐ長さの仮固定金具１３によって溝部５内に拘束して、樹脂９を硬化させることにより、凹部に埋設した鉛直方向補強筋８の上端部が、樹脂９の硬化時に垂れたり、はみ出したりすることを防止することができ、樹脂硬化時の作業性が向上している。
【００４１】
また、溝部５に鉛直方向補強筋８を嵌め込んだ後、溝部５の内面と鉛直方向補強筋８との隙間に楔１２を打ち込んで鉛直方向補強筋８を拘束して、隙間に樹脂９を注入して鉛直方向補強筋８を固定することによって、鉛直方向補強筋８と溝部５との嵌め合い寸法の精度にかかわらず、コンクリートに対する引張強度を効率よく発揮する補強層を形成することが可能である。また、柱部２と鉛直方向補強筋８との間に樹脂９を介在させることにより、鉛直方向補強筋８に対する剪断力が発生せず、剪断力破壊が生じない。さらに、この樹脂９は、柱部２に発生した亀裂の補修材としても作用するため、柱部２の補強効果が一層向上している。
【産業上の利用可能性】
【００４２】
本発明のコンクリート構造物の補強工法は、コンクリート製の橋脚に作用する地震時の水平荷重に対する耐震補強に止まらず、橋梁のコンクリート製桁下面の補強や、他のコンクリート構造物の補強に有用である。特に、巻立て厚さの増加に制限がある橋脚や増加重量の軽減が必要な橋脚の補強に好適である。
【図面の簡単な説明】
【００４３】
【図１】（ａ）は本発明の実施の形態におけるコンクリート構造物の補強工法により施工した鉄筋コンクリート製の橋脚の部分平面断面図、（ｂ）は部分側面断面図である。
【図２】本発明の実施の形態におけるコンクリート構造物の補強工法のフロー図である。
【図３】本発明の実施の形態におけるコンクリート構造物の補強工法の概略の施工手順を示す説明図である。
【図４】柱部に形成される凹部の拡大斜視図である。
【図５】特殊コアドリルにより定着孔を削孔する状態を示す図であって、（ａ）は平面断面図、（ｂ）は側面断面図である。
【図６】（ａ）は柱部の溝部の上端部の拡大図、（ｂ）は（ａ）のＡ−Ａ断面図、（ｃ）は（ａ）のＢ−Ｂ断面図である。
【図７】既設橋脚のフーチング部に削岩用ドリルを用いて斜め方向に定着孔を削孔する例を示す図である。
【符号の説明】
【００４４】
１  フーチング部
２  柱部
３  補強用被覆層
４ａ  主筋
４ｂ  帯筋
５  溝部
６  凹部
７  定着孔
８  鉛直方向補強筋
９  樹脂
１０  帯筋
１１  フレア溶接
１２  楔
１３  仮固定金具
１４  コンクリートアンカー
２０  特殊コアドリル
２１  コアビット
２２  スピンドル部
２３  モータ部
２４  回転伝達機構
２５  支持部
２６  鉛直軸
【図１】
0005367115.tif 000002
【図２】
0005367115.tif 000003
【図３】
0005367115.tif 000004
【図４】
0005367115.tif 000005
【図５】
0005367115.tif 000006
【図６】
0005367115.tif 000007
【図７】
0005367115.tif 000008